(57)【要約】【課題】内蔵された時計を秒単位で設定できる電子機器、電子機器システム、及び時刻同期方法を提供する。【解決手段】時計５０１を内蔵した電子機器であって、秒情報を設定する秒情報設定部５０２と、時計５０１の時刻情報に秒情報設定部５０２で設定した秒情報を含めて時刻設定コマンドを生成するコマンド生成部５０３と、コマンド生成部５０３で生成された時刻設定コマンドを他の機器に送信する送信部５０４とを備える。【選択図】  図７
2019158556.tif 000002
【特許請求の範囲】
【請求項１】
秒情報を設定する秒情報設定部と、
計時機能によって計時された時刻情報に前記秒情報設定部で設定した秒情報を含めて時刻設定コマンドを生成するコマンド生成部と、
前記コマンド生成部で生成された時刻設定コマンドを他の機器に送信する送信部と
を備える電子機器。
【請求項２】
前記秒情報設定部は、前記時計の時刻から秒情報を取得して設定するようにした請求項１に記載の電子機器。
【請求項３】
前記秒情報設定部は、任意の秒情報を設定するようにした請求項１に記載の電子機器。
【請求項４】
時計を内蔵した電子機器であって、
時刻設定コマンドを受信する受信部と、
前記時刻設定コマンドで示された時刻情報により前記時計の時刻を設定する時刻設定部と、
前記時刻設定コマンドから秒情報を抽出する秒情報抽出部と、
前記秒情報抽出部で抽出された秒情報を基に、次に時刻の秒の部分が「０」になるタイミングを計測し、当該計測した時間が経過したら、前記時計の分の値を「１」歩進させ、秒の値を「０」に設定する秒設定部と
を備える電子機器。
【請求項５】
前記秒設定部は、次に時刻の秒の部分が「０」になるタイミングを、６０秒から前記秒情報抽出部で抽出された秒情報を減じた値として求めるようにした請求項４に記載の電子機器。
【請求項６】
時計を内蔵した複数の電子機器からなる電子機器システムであって、
前記複数の電子機器のうちの１つをマスタとし、他の機器をスレーブとし、
前記マスタとされた電子機器は、秒情報を設定する秒情報設定部と、前記マスタとされた電子機器の時計の時刻情報に前記秒情報設定部で設定した秒情報を含めて時刻設定コマンドを生成するコマンド生成部と、前記コマンド生成部で生成された時刻設定コマンドを他の機器に送信する送信部とを備え、
前記スレーブとされた電子機器は、時刻設定コマンドを受信する受信部と、前記時刻設定コマンドで示された時刻情報により前記スレーブとされた時計の時刻を設定する時刻設定部と、前記時刻設定コマンドから秒情報を抽出する秒情報抽出部と、前記秒情報抽出部で抽出された秒情報を基に、次に時刻の秒の部分が「０」になるタイミングを計測し、当該計測した時間が経過したら、前記時計の分の値を「１」歩進させ、秒の値を「０」に設定する秒設定部とを備える
ようにした電子機器システム。
【請求項７】
時計を内蔵した複数の電子機器からなる電子機器システムの時計を同期させる時刻同期方法であって、
前記複数の電子機器のうちの１つをマスタとし、他の機器をスレーブとし、
前記マスタとされた電子機器が、当該マスタとされた電子機器の時計の時刻情報に秒情報を含めて時刻設定コマンドを生成して送信する工程と、
前記スレーブとされた電子機器が、前記時刻設定コマンドを受信し、前記時刻設定コマンドで示された時刻情報により当該スレーブとされた時計の時刻を設定する工程と、
前記スレーブとされた電子機器が、前記時刻設定コマンドから秒情報を抽出し、当該抽出された秒情報を基に、次に時刻の秒の部分が「０」になるタイミングを計測し、当該計測した時間が経過したら、前記時計の分の値を「１」歩進させ、秒の値を「０」に設定する工程と
を含むようにした時刻同期方法。
【発明の詳細な説明】
【技術分野】
【０００１】
本発明は、電子機器、電子機器システム、及び時刻同期方法に関する。
【背景技術】
【０００２】
マルチディスプレイシステムでは、複数のディスプレイ装置を並べて１つの大画面が形成できる。このようなマルチディスプレイシステムでは、各ディスプレイ装置の時計が同期していないと、スケジュール設定を行った際に、各ディスプレイ装置で、入力ソースの切り替え等のタイミングにバラツキが生じてしまい、映像が見苦しくなってしまう。このため、マルチディスプレイシステムでは、各ディスプレイ装置の時計の時刻を同期させることが望まれる。
【０００３】
マルチディスプレイシステムを構成する各ディスプレイ装置の時計を同期させるために、マスタの機器からスレーブの機器に時刻情報を送信し、各機器の時刻をマスタの機器の時刻に設定することが考えられる。また、特許文献１には、セット間での時刻比較を行い、カレンダークロックを合致させるようにした技術が開示されている。
【先行技術文献】
【特許文献】
【０００４】
【特許文献１】特開平９−３３６７４号公報
【発明の概要】
【発明が解決しようとする課題】
【０００５】
ディスプレイ装置の時計は、通常、「時」「分」単位の表示であり、時刻設定が分単位までしか指定できないことが多い。このようなディスプレイ装置を複数台並べてマルチディスプレイシステムを構築した場合に、各ディスプレイ装置の時計を秒単位で同期させることは難しい。すなわち、マルチディスプレイシステムでは、１つのディスプレイ装置をマスタとし、他のディスプレイ装置をスレーブとして、マスタのディスプレイ装置からスレーブのディスプレイ装置にコマンドを送信することで、各ディスプレイ装置の設定を行うことができる。したがって、マスタのディスプレイ装置の時計の時刻情報を他のディスプレイ装置に送ることで、システムを構成するディスプレイ装置の全体の時刻をマスタのディスプレイ装置の時計に合わせることはできる。しかしながら、ディスプレイ装置の時刻設定は分単位までしか指定できないため、マスタのディスプレイ装置から送られてきた時刻情報で他のディスプレイ装置の時計を設定しても、秒単位での同期をとることはできない。
【０００６】
上述の課題を鑑み、本発明は、内蔵された時計を秒単位で設定できる電子機器、電子機器システム、及び時刻同期方法を提供することを目的とする。
【課題を解決するための手段】
【０００７】
上述の課題を解決するために、本発明の一態様に係る電子機器は、秒情報を設定する秒情報設定部と、計時機能によって計時された時刻情報に前記秒情報設定部で設定した秒情報を含めて時刻設定コマンドを生成するコマンド生成部と、前記コマンド生成部で生成された時刻設定コマンドを他の機器に送信する送信部とを備える。
【０００８】
本発明の一態様に係る電子機器は、時計を内蔵した電子機器であって、時刻設定コマンドを受信する受信部と、前記時刻設定コマンドで示された時刻情報により前記時計の時刻を設定する時刻設定部と、前記時刻設定コマンドから秒情報を抽出する秒情報抽出部と、前記秒情報抽出部で抽出された秒情報を基に、次に時刻の秒の部分が「０」になるタイミングを計測し、当該計測した時間が経過したら、前記時計の分の値を「１」歩進させ、秒の値を「０」に設定する秒設定部とを備える。
【０００９】
本発明の一態様に係る電子機器システムは、時計を内蔵した複数の電子機器からなる電子機器システムであって、前記複数の電子機器のうちの１つをマスタとし、他の機器をスレーブとし、前記マスタとされた電子機器は、秒情報を設定する秒情報設定部と、前記マスタとされた電子機器の時計の時刻情報に前記秒情報設定部で設定した秒情報を含めて時刻設定コマンドを生成するコマンド生成部と、前記コマンド生成部で生成された時刻設定コマンドを他の機器に送信する送信部とを備え、前記スレーブとされた電子機器は、時刻設定コマンドを受信する受信部と、前記時刻設定コマンドで示された時刻情報により前記スレーブとされた時計の時刻を設定する時刻設定部と、前記時刻設定コマンドから秒情報を抽出する秒情報抽出部と、前記秒情報抽出部で抽出された秒情報を基に、次に時刻の秒の部分が「０」になるタイミングを計測し、当該計測した時間が経過したら、前記時計の分の値を「１」歩進させ、秒の値を「０」に設定する秒設定部とを備える。
【００１０】
本発明の一態様に係る時刻同期方法は、時計を内蔵した複数の電子機器からなる電子機器システムの時計を同期させる時刻同期方法であって、前記複数の電子機器のうちの１つをマスタとし、他の機器をスレーブとし、前記マスタとされた電子機器が、当該マスタとされた電子機器の時計の時刻情報に秒情報を含めて時刻設定コマンドを生成して送信する工程と、前記スレーブとされた電子機器が、前記時刻設定コマンドを受信し、前記時刻設定コマンドで示された時刻情報により当該スレーブとされた時計の時刻を設定する工程と、前記スレーブとされた電子機器が、前記時刻設定コマンドから秒情報を抽出し、当該抽出された秒情報を基に、次に時刻の秒の部分が「０」になるタイミングを計測し、当該計測した時間が経過したら、前記時計の分の値を「１」歩進させ、秒の値を「０」に設定する工程とを含む。
【発明の効果】
【００１１】
本発明によれば、機器に内蔵された時計が分単位で時刻設定されるものであっても、各時計を秒単位で同期させることができる。
【図面の簡単な説明】
【００１２】
【図１】本発明の第１の実施形態に係るマルチディスプレイシステムの説明図である。
【図２】本発明の第１の実施形態に係るマルチディスプレイシステムにおける時計の同期の説明に用いる機能ブロック図である。
【図３】本発明の第１の実施形態に係るマルチディスプレイシステムにおける時計の同期の説明に用いるタイミング図である。
【図４】本発明の第１の実施形態に係るマルチディスプレイシステムにおける時計の同期の説明に用いるフローチャートである。
【図５】本発明の第１の実施形態に係るマルチディスプレイシステムにおける時計の同期の説明に用いるフローチャートである。
【図６】本発明の第２の実施形態に係るマルチディスプレイシステムにおける時計の同期の説明に用いる機能ブロック図である。
【図７】本発明による電子機器の基本構成を示す概略ブロック図である。
【発明を実施するための形態】
【００１３】
以下、本発明の実施の形態について図面を参照しながら説明する。
＜第１の実施形態＞
図１は、本発明の第１の実施形態に係るマルチディスプレイシステム１の説明図である。図１において、ディスプレイ装置（電子機器）１０−０〜１０−３が二次元配列されて、マルチディスプレイシステム１が構成される。各ディスプレイ装置１０−０〜１０−３は、通信線１１により、ディジーチェーンで接続される。なお、この例では、ディスプレイ装置１０−０〜１０−３を（２×２）に二次元配列しているが、ディスプレイ装置の数や配置の仕方は、これに限定されるものではない。各ディスプレイ装置１０−０〜１０−３には、分単位で設定される時計１０１−０〜１０１−３が内蔵されている。本実施形態では、分単位で設定されるディスプレイ装置１０−０〜１０−３に内蔵する時計１０１−０〜１０１−３を秒単位で同期させることができる。
【００１４】
図２は、本発明の第１の実施形態に係るマルチディスプレイシステム１における時計の同期の説明に用いる機能ブロック図である。
【００１５】
図２に示すように、本発明が適用できるマルチディスプレイシステム１では、各ディスプレイ装置１０−０〜１０−３は、通信線１１により、デイジーチェーンで接続される。ディスプレイ装置１０−０〜１０−３のうち、１つのディスプレイ装置がマスタとなり、他のディスプレイ装置がスレーブとなる。図２では、ディスプレイ装置１０−０をマスタとし、他のディスプレイ装置１０−１〜１０−３をスレーブとしている。マスタとなるディスプレイ装置１０−０は、スレーブとなるディスプレイ装置１０−１〜１０−３にコマンドを送信することができる。
【００１６】
図２に示すように、マスタのディスプレイ装置１０−０は時計１０１−０を備えている。また、スレーブのディスプレイ装置１０−１〜１０−３は時計１０１−１〜１０１−３を備えている。前述したように、時計１０１−０及び時計１０１−１〜１０１−３は、分単位で時刻設定するものである。
【００１７】
マスタのディスプレイ装置１０−０は、秒情報設定部１０２と、コマンド生成部１０３と、通信部１０４とを備えている。秒情報設定部１０２は、時計１０１−０から秒情報を取得する。コマンド生成部１０３は、時計１０１−０の時刻情報（時：分）に、秒情報設定部１０２で取得された秒情報を付加して、時刻設定コマンドＣＭＤを生成する。通信部１０４は、コマンド生成部１０３で生成された時刻設定コマンドＣＭＤをスレーブのディスプレイ装置１０−１〜１０−３に送信する。
【００１８】
スレーブのディスプレイ装置１０−１〜１０−３は、通信部２０２−１〜２０２−３と、時刻設定部２０３−１〜２０３−３と、秒情報抽出部２０４−１〜２０４−３と、タイマ設定部２０５−１〜２０５−３と、タイマ２０６−１〜２０６−３とを備える。
【００１９】
通信部２０２−１〜２０２−３は、マスタのディスプレイ装置１０−０からの時刻設定コマンドＣＭＤを受信し、この時刻設定コマンドＣＭＤを時刻設定部２０３−１〜２０３−３に送る。時刻設定部２０３−１〜２０３−３は、時刻設定コマンドＣＭＤを受信すると、受信した時刻設定コマンドＣＭＤの時刻（時：分）となるように、時計１０１−１〜１０１−３の時刻を設定する。また、時刻設定部２０３−１〜２０３−３は、時刻設定コマンドＣＭＤを受信すると、時刻設定コマンドＣＭＤに含まれている秒情報を秒情報抽出部２０４−１〜２０４−３に送る。秒情報抽出部２０４−１〜２０４−３は、取得した秒情報をタイマ設定部２０５−１〜２０５−３に送る。タイマ設定部２０５−１〜２０５−３は、この秒情報から、次に時刻の秒の部分が「０」になるまでの時間を算出し、この次に時刻の秒の部分が「０」になるまでの時間をタイマ２０６−１〜２０６−３に設定する。秒情報をＳとすると、次に時刻の秒の部分が「０」になるまでの時間は、（６０−Ｓ）秒として算出できる。タイマ２０６−１〜２０６−３は、設定された時間（６０−Ｓ）秒が経過すると、時計１０１−１〜１０１−３の時刻を、時刻の分を「１」歩進させ、秒を「０」に設定する。タイマ設定部２０５−１〜２０５−３とタイマ２０６−１〜２０６−３により、秒設定部２０７−１〜２０７−３が構成される。
【００２０】
図３は、本発明の第１の実施形態に係るマルチディスプレイシステム１における時計の同期の説明に用いるタイミング図である。例えば、マスタのディスプレイ装置１０−０の時計１０１−０が図３（Ａ）に示すように歩進しているとする。また、スレーブのディスプレイ装置１０−１〜１０−３の時計１０１−１〜１０１−３が、それぞれ、図３（Ｃ）、図３（Ｅ）、及び図３（Ｇ）に示すように歩進しているとする。
【００２１】
マスタのディスプレイ装置１０−０の時計１０１−０と、スレーブのディスプレイ装置１０−１〜１０−３の時計１０１−１〜１０１−３とを秒単位で同期させる場合、図３（Ｂ）に示すように、マスタのディスプレイ装置１０−０は、スレーブのディスプレイ装置１０−１〜１０−３に、秒情報を含めて時刻設定コマンドＣＭＤを送信する。ここでは、マスタのディスプレイ装置１０−０は、時点ｔ１で、時刻設定コマンドを送信したとする。時点ｔ１でのディスプレイ装置１０−１の時計１０１−０の時刻は「１４時３２分」であるので、コマンド生成部１０３は、時刻を「１４時３２分」とする時刻設定コマンドＣＭＤを生成する。また、秒情報設定部１０２は、時計１０１−０からこのときの秒情報「４５秒」を抽出し、時刻設定コマンドＣＭＤに含める。この時刻設定コマンドＣＭＤがマスタのディスプレイ装置１０−０からスレーブのディスプレイ装置１０−１〜１０−３に送信される。
【００２２】
スレーブのディスプレイ装置１０−１は、時点ｔ１に、マスタのディスプレイ装置１０−０から送信された時刻設定コマンドＣＭＤを受信する。ディスプレイ装置１０−１の時刻設定部２０３−１は、時刻設定コマンドＣＭＤで示される時刻となるように、時計１０１−１の時刻を設定する。ここでは、スレーブのディスプレイ装置１０−１は、時刻を「１４時３２分」とする時刻設定コマンドＣＭＤを受信しているので、図３（Ｃ）に示すように、時刻設定部２０３−１は、時点ｔ１で、「１４時３２分」となるように、ディスプレイ装置１０−１の時計１０１−１を設定する。
【００２３】
また、本実施形態では、マスタのディスプレイ装置１０−０からの時刻設定コマンドＣＭＤには、秒情報が含まれている。スレーブのディスプレイ装置１０−１の秒情報抽出部２０４−１は、時刻設定コマンドＣＭＤに含まれている秒情報を抽出する。ここでは、時刻設定コマンドＣＭＤに「４５秒」が含められている。よって、ディスプレイ装置１０−１の秒情報抽出部２０４−１は、秒情報として「４５秒」を抽出する。タイマ設定部２０５−１は、この秒情報から、次に時刻の秒の部分が「０」になるまでの時間を算出し、この次に時刻の秒の部分が「０」になるまでの時間をタイマ２０６−１に設定する。秒情報が「４５秒」の場合、次に時刻の秒の部分が「０」になるのは、（６０−４５＝１５秒）後である。したがって、タイマ設定部２０５−１は、タイマ２０６−１に「１５秒」を設定する。ここでは、説明のために、タイマ２０６−１は、タイマが設定された時点でＨレベルとなり、タイマ時刻が経過すると、Ｌレベルになるようなタイミング信号ＴＳ１を出力するものとする。タイマ２０６−１は、図３（Ｄ）に示すように、時点ｔ１でタイミング信号ＴＳ１をＨレベルにし、時点ｔ１から「１５秒」経過した時点ｔ２で、タイミング信号ＴＳ１をＬレベルにする。ディスプレイ装置１０−２の時計１０１−１は、タイマ２０６−１からタイミング信号ＴＳ１がＬレベルになると、時刻の分を「１」歩進させ、秒を「０」に設定する。ディスプレイ装置１０−１の時計１０１−１は、時点ｔ１で「１４時３２分」に更新されている。したがって、図３（Ｃ）に示すように、ディスプレイ装置１０−１の時計１０１−１は、時点ｔ２で「１４時３３分００秒」に設定される。
【００２４】
同様に、図３（Ｅ）及び図３（Ｇ）に示すように、ディスプレイ装置１０−２及び１０−３は、時点ｔ１で、マスタのディスプレイ装置１０−０から送信された時刻設定コマンドＣＭＤを受信し、時計１０１−２及び１０１−３の時刻を「１４時３２分」に設定する。そして、ディスプレイ装置１０−２及び１０−３の秒情報抽出部２０４−２及び２０４−３は、時刻設定コマンドＣＭＤから秒情報として「４５秒」を取得し、タイマ設定部２０５−２及び２０５−３はタイマ２０６−２及び２０６−３に、次に時刻の秒の部分が「０」になるまでの時間として、「１５秒」を設定する。図３（Ｆ）及び図３（Ｈ）に示すように、タイマ２０６−２及び２０６−３からのタイミング信号ＴＳ２及びＴＳ３は、時点ｔ１でＨレベルになり、時点ｔ１から「１５秒」経過した時点ｔ２で、Ｌレベルになる。時計１０１−２及び１０１−３は、タイマ２０６−２及び２０６−３からのタイミング信号ＴＳ２及びＴＳ３がＬレベルになると、時刻の分を「１」歩進させ、秒を「０」に設定する。ディスプレイ装置１０−２及び１０−３の時計１０１−２及び１０１−３は、時点ｔ１で「１４時３２分」に更新されている。したがって、図３（Ｅ）及び図３（Ｇ）に示すように、ディスプレイ装置１０−２及び１０−３の時計１０１−２及び１０１−３は、時点ｔ２で「１４時３３分００秒」に設定される。
【００２５】
図３（Ａ）に示すように、マスタのディスプレイ装置１０−０の時計１０１−０は、時点ｔ１から（６０−４５＝１５秒）後の時点ｔ２で、「１４時３３分００秒」となる。また、図３（Ｃ）、図３（Ｅ）、及び図３（Ｇ）に示すように、スレーブのディスプレイ装置１０−１〜１０−３の時計１０１−１〜１０１−３は、時点ｔ１から（６０−４５＝１５秒）後の時点ｔ２で、「１４時３３分００秒」となる。このように、マスタのディスプレイ装置１０−０の時計１０１−０と、スレーブのディスプレイ装置１０−１〜１０−３の時計１０１−１〜１０１−３は、時点ｔ２以降では、秒単位で同期することになる。
【００２６】
図４及び図５は、本発明の第１の実施形態に係るマルチディスプレイシステム１における時計の同期の説明に用いるフローチャートである。図４は、マスタのディスプレイ装置１０−０での処理を示している。
【００２７】
（ステップＳ１０１）コマンド生成部１０３は、時刻同期要求があるか否かを判定し、時刻同期要求があると（ステップＳ１０１：Ｙｅｓ）、処理をステップＳ１０２に進める。
【００２８】
（ステップＳ１０２）コマンド生成部１０３は、時計１０１の現在時刻（時：分）を取得して、処理をステップＳ１０３に進める。
【００２９】
（ステップＳ１０３）秒情報設定部１０２は、時計１０１−０の秒情報を取得して、処理をステップＳ１０４に進める。
【００３０】
（ステップＳ１０４）コマンド生成部１０３は、時刻情報に秒情報を含めて、時刻設定コマンドを生成し、処理をステップＳ１０５に進める。
【００３１】
（ステップＳ１０５）通信部１０４は、スレーブのディスプレイ装置１０−１〜１０−３に、秒情報を含む時刻設定コマンドを送信する。
【００３２】
図５は、スレーブのディスプレイ装置１０−１〜１０−３での処理を示している。
（ステップＳ２０１）通信部２０２−１〜２０２−３は、マスタのディスプレイ装置１０−０からの時刻設定コマンドを受信し、処理をステップＳ２０２に進める。
【００３３】
（ステップＳ２０２）時刻設定部２０３−１〜２０３−３は、時刻設定コマンドを解釈し、時刻設定コマンドで示される時刻（時：分）となるように、時計１０１−１〜１０１−３の時刻を設定し、処理をステップＳ２０３に進める。
【００３４】
（ステップＳ２０３）秒情報抽出部２０４−１〜２０４−３は、時刻設定コマンドに含まれている秒情報を取得し、処理をステップＳ２０４に進める。
【００３５】
（ステップＳ２０４）タイマ設定部２０５−１〜２０５−３は、タイマ２０６−１〜２０６−３に、次に時刻の秒の部分が「０」になるまでの時間として、６０秒から秒情報Ｓを減じた時間（６０−Ｓ）秒を設定する。
【００３６】
（ステップＳ２０５）タイマ２０６−１〜２０６−３は、（６０−Ｓ）秒が経過したか否かを判定し、（６０−Ｓ）秒が経過したと判定されると（ステップＳ２０５：Ｙｅｓ）、時計１０１−１〜１０１−３を、時刻の分を「１」歩進させ、秒を「０」に設定する。
【００３７】
以上説明したように、本発明の第１の実施形態では、マスタのディスプレイ装置１０−０はスレーブのディスプレイ装置１０−１〜１０−３に、秒情報を含めた時刻設定コマンドを送信している。また、スレーブのディスプレイ装置１０−１〜１０−３は、時刻設定コマンドにより示される時刻に時計１０１−１〜１０１−３の時刻の時、分を設定した後、秒情報を基に次に時刻の秒の部分が「０」になるまでの時間を算出し、次に時刻の秒の部分が「０」になるまでの時間が経過したら、時刻の分を「１」歩進させ、秒を「０」に設定している。これにより、マルチディスプレイシステム１を構成するディスプレイ装置１０−０〜１０−３の時計を秒単位で同期させることができる。
【００３８】
＜第２の実施形態＞
次に、本発明の第２の実施形態に係るマルチディスプレイシステムについて説明する。
図６は、本発明の第２の実施形態に係るマルチディスプレイシステム１ａにおける時計の同期の説明に用いる機能ブロック図である。なお、以下の説明において、第１の実施形態と同一部分については、同一符号を付して、その説明を省略する。
【００３９】
図６に示すように、本実施形態では、マスタのディスプレイ装置１０−０に、秒情報設定部１２１と、タイマ設定部１２２と、タイマ１２３とが設けられる。秒情報設定部１２１は、秒情報として任意の値を設定する。タイマ設定部１２２は、この秒情報から、次に時刻の秒の部分が「０」になるまでの時間を（６０−ｋ）秒として算出し、この次に時刻の秒の部分が「０」になるまでの時間をタイマ１２３に設定する。タイマ１２３は、設定された時間が経過すると、タイミング信号ＴＳ０を変化させる。時計１０１−０は、タイミング信号ＴＳ０が変化すると、時計１０１−０の時刻を、時刻の分を「１」歩進させ、秒を「０」に設定する。スレーブのディスプレイ装置１０−１〜１０−３の構成は、第１の実施形態と同様である。
【００４０】
前述の第１の実施形態では、秒情報設定部１０２が時計１０１−０から秒情報を取得し、時刻設定コマンドＣＭＤに含めている。しかしながら、時計１０１−０から秒情報が取得できない場合がある。第２の実施形態では、時計１０１−０から秒情報が取得できない場合に、秒情報設定部１２１により任意の値「ｋ」を秒情報として設定し、時刻設定コマンドＣＭＤに含めるようにしている。そして、時刻設定コマンドＣＭＤの送信タイミングで、時計１０１−０の時刻を更新するとともに、タイマ設定部１２２は、次に時刻の秒の部分が「０」になるまでの時間として（６０−ｋ）秒をタイマ１２３に設定する。タイマ１２３は、（６０−ｋ）秒経過すると、時計１０１−０の時刻を、時刻の分を「１」歩進させ、秒を「０」に設定する。これにより、マスタのディスプレイ装置１０−０の時計１０１−０と、スレーブのディスプレイ装置１０−１〜１０−３の時計１０１−１〜１０１−３とを、秒単位で同期させることができる。
【００４１】
図７は、本発明による電子機器の基本構成を示す概略ブロック図である。本発明による電子機器５００の基本構成は、図７に示すとおりである。すなわち、本発明による電子機器５００は、時計５０１を内蔵した電子機器であって、秒情報を設定する秒情報設定部５０２と、時計５０１の時刻情報に秒情報設定部５０２で設定した秒情報を含めて時刻設定コマンドを生成するコマンド生成部５０３と、コマンド生成部５０３で生成された時刻設定コマンドを他の機器に送信する送信部５０４とを備える。
【００４２】
上述した実施形態におけるマルチディスプレイシステム１、１ａの全部または一部をコンピュータで実現するようにしてもよい。その場合、この機能を実現するためのプログラムをコンピュータ読み取り可能な記録媒体に記録して、この記録媒体に記録されたプログラムをコンピュータシステムに読み込ませ、実行することによって実現してもよい。なお、ここでいう「コンピュータシステム」とは、ＯＳや周辺機器等のハードウェアを含むものとする。また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。さらに「コンピュータ読み取り可能な記録媒体」とは、インターネット等のネットワークや電話回線等の通信回線を介してプログラムを送信する場合の通信線のように、短時間の間、動的にプログラムを保持するもの、その場合のサーバやクライアントとなるコンピュータシステム内部の揮発性メモリのように、一定時間プログラムを保持しているものも含んでもよい。また上記プログラムは、前述した機能の一部を実現するためのものであってもよく、さらに前述した機能をコンピュータシステムにすでに記録されているプログラムとの組み合わせで実現できるものであってもよく、ＦＰＧＡ等のプログラマブルロジックデバイスを用いて実現されるものであってもよい。
【００４３】
以上、この発明の実施形態について図面を参照して詳述してきたが、具体的な構成はこの実施形態に限られるものではなく、この発明の要旨を逸脱しない範囲の設計等も含まれる。
【符号の説明】
【００４４】
１０−０〜１０−３：ディスプレイ装置，１０１−０〜１０１−３：時計，１０２：秒情報設定部，１０３：コマンド生成部，１０４ 通信部，２０２−１〜２０２−３：通信部，２０３−１〜２０３−３：時刻設定部，２０４−１〜２０４−３：秒情報抽出部，２０５−１〜２０５−３：タイマ設定部，２０６−１〜２０６−３：タイマ，２０７−１〜２０７−３：秒設定部，５００：電子機器，５０１：時計，５０２：秒情報設定部，５０３：コマンド生成部，５０４：送信部
【図１】
2019158556.tif 000003
【図２】
2019158556.tif 000004
【図３】
2019158556.tif 000005
【図４】
2019158556.tif 000006
【図５】
2019158556.tif 000007
【図６】
2019158556.tif 000008
【図７】
2019158556.tif 000009